(57)【要約】      （修正有）【課題】安全性の高い回転式洗浄ガンの構造を提供する。【解決手段】回転式洗浄ガンの構造は、グリップ１の一方の側部に入気口１１が設けられ、入気口は上方に弁座１２を有する。レバー１３によって入気口から導入される外部の高圧空気が制御される。弁座１２の一方の側部には、給気管１４が接続され、給気管の一方の側部には、対接部１４１によって噴射管２及び回転装置３の送気管３１が装着される。送気管の他方の側部の連接部３１２は、噴射管２の収容空間２０内まで延伸する。連接部３１２部分には、軸受け３２が装着され、軸受けの回転リング３２２外部には、連結カバー３３が嵌設されて、回転体３４が装着される。回転体は、噴射管２の一方の側部の管口２０１部分に位置する。高圧空気は、回転体３４内部の集気室に送られ、傾斜噴射孔３４２から外部に噴射される。【選択図】図２
0003198554.tif 000002
【実用新案登録請求の範囲】
【請求項１】
グリップ及び回転装置を備える回転式洗浄ガンの構造であって、
グリップの一方の側部には、外部の高圧空気を導入する入気口が設けられ、前記入気口の上方には、レバーを有する弁座が設けられ、前記弁座の一方の側部には、給気管が接続され、前記給気管の内部は、前記弁座及び前記入気口まで連通する給気孔を有し、前記弁座と反対側の前記給気管の側部には、対接部が凸設され、
前記回転装置は、前記対接部に装着されて、外部に延伸する送気管と、前記送気管の側部の連接部に装着される連結カバーと、軸受けと、回転体と、を有し、前記送気管の内部には、前記送気管を貫通する送気孔が設けられ、前記軸受けの外部には、前記回転体によって駆動されて回転する連結カバーが嵌設され、前記連結カバーの外部には、傾斜噴射孔を有する回転体が装着され、前記回転体の内部には、前記送気管の送気孔に対向する集気室が設けられることを特徴とする回転式洗浄ガンの構造。
【請求項２】
前記グリップの前記給気管の一方の側部の対接部には、前記給気管の一方の側部から外部に突出する対接ボルトが設けられ、前記対接部の対接ボルト内には、前記給気孔の一方の側部に位置する雌ネジ孔が設けられ、前記対接部の対接ボルトの外部には、前記噴射管の一方の側部の対接側に緊密に当接されるパッキンリングが嵌設され、前記噴射管の一方の側部の対接側には、前記対接ボルトに螺着される対接ネジ孔が設けられ、前記回転装置の送気管の一方の側部の接合部には、前記雌ネジ孔部分に螺着される雄ネジロッドが設けられ、前記グリップの対接部には、前記噴射管が装着され、前記噴射管の一方の側部には、前記対接部に装着される対接側が設けられ、前記噴射管の内部には、前記対接側から他方の側部に貫通して、前記回転装置の送気管が進入する収容空間が設けられ、前記噴射管の前記対接側と反対側の収容空間には、外部に拡張する管口が設けられ、前記噴射管は、ラッパ管、直管又は多辺形管の管体であり、前記給気管の底部には、連接管が設けられ、前記給気管は、Ｔ字管であり、前記連接管の底部には、液体が貯蔵される貯水タンクが接続され、前記貯水タンク内には、液体を前記連接管部分まで汲み上げる供水管が設けられ、前記連接管内には、前記供水管が汲み上げた液体を外部に送る送水管が設けられ、前記送水管は、前記連接管部分から前記給気管の給気孔内に延伸し、前記送水管の一方の側部には、前記送気管の送気孔外部に貫通する端部が設けられ、前記回転装置の回転体の集気室の一方の側部には、前記送水管の一方の側部の端部が貫設される貫通孔が設けられ、前記貫通孔は、前記回転体の前記傾斜噴射孔の側辺に位置し、前記回転体の内部には、一方の側部が外部に貫通する集気室が凹設され、前記集気室の他方の側部の壁面の中央位置には、外部に貫通する貫通孔が設けられ、前記貫通孔の側辺には、外部に傾斜して貫通する傾斜噴射孔が設けられ、前記貫通孔の直径は、前記送水管の一方の側部の端部の外径より大きく、前記送水管の一方の側部の端部外部の前記貫通孔部分には、気体が通過する間隙が形成されることを特徴とする請求項１に記載の回転式洗浄ガンの構造。
【請求項３】
前記回転装置の送気管の他方の側部の連接部は、前記送気管の他方の側部から外部に突出する接合ロッドと、前記接合ロッドの外側から外部に突出する螺着ロッドと、を有し、前記接合ロッドには、前記軸受けの軸孔が嵌合されて位置決めされ、前記軸受けの外側には、前記螺着ロッド部分に螺着されて前記軸受けが前記接合ロッドから離脱するのを防止するナットが設けられ、前記連結カバー内部には、前記回転リングが係合固定される係合溝が設けられ、前記連結カバーの係合溝外部には、外ネジが設けられ、前記回転体の集気室の他方の側部には、前記外ネジ部分に螺着される内ネジ孔が設けられ、前記接合ロッドの外径は、前記送気管の外径より小さく、前記螺着ロッドの外径は、前記接合ロッドの外径より小さく、前記ナットの外径は、前記軸受けの軸孔の孔径より大きく、前記回転体の内部には、一方の側部が外部に貫通する集気室が凹設され、前記集気室の内部に貫通する他方の側部には、孔径が縮小された内ネジ孔が設けられ、前記集気室の一方の側部の壁面には、外部に傾斜して貫通する傾斜噴射孔が設けられることを特徴とする請求項１に記載の回転式洗浄ガンの構造。
【考案の詳細な説明】
【技術分野】
【０００１】
本考案は、回転式洗浄ガンの構造に関し、特に、給気管が接続されるグリップと、給気管の一方の側部に装着される噴射管と、噴射管内に位置する回転装置と、を含み、グリップから外部の高圧空気が導入され、回転装置が噴射管内で回転し、外部に向かって回転方式で気体を噴射する回転式洗浄ガンの構造に関する。
【背景技術】
【０００２】
科学技術の進歩により、人々は、衣食住、移動及び娯楽に対して更に高い品質を求めている。移動に関しては、各種自動車、バイクなどが人々の移動手段となっており、その数量も日々増加している。各種自動車、バイクなどの洗浄作業は、電動洗車機を使用して自動で行うこともできるが、電動洗車機は、回転するブラシが車体外部を洗浄するのみであるため、車体の辺縁及び凹凸部分を十分に洗浄することができない。そのため、多くの人が手作業で車体の洗浄を行っている。しかし、車体を洗浄した後、乾いた雑巾などで車体に残留した水を拭き取る必要があるため、作業に時間及び労力が非常に掛かっていた。
【０００３】
一般に、洗浄作業を行う際、ブラシ、雑巾などを使用し、散水しながら物体外部を洗浄する。車両、ビルなどの洗浄作業を行う場合、強力な水圧が必要とされるため、散水ホースの先端を指で押圧することによって高い水圧で水が噴射され、汚れを水で洗い流した後、ブラシ、雑巾などで洗浄作業が行われる。このため、洗浄作業に時間及び労力が掛かる上、大量の水が浪費されていた。この問題を解決するために、洗浄ガンに高圧空気を供給することによって水を強力に噴出させて汚れを洗い流すことができ、水を使用する時間を制御して水の浪費を防止することができる構造が案出された。図８を参照する。図８は、従来の洗浄ガンの構造を示す断面図である。洗浄ガンＡは、グリップＡ１、Ｔ字管Ａ２、液体タンクＡ３、噴射管部材Ｂなどの部材から構成される。噴射管部材Ｂは、噴射管Ｂ１を含む。噴射管Ｂ１の一方の端部には、螺着台Ｂ１１が設けられ、洗浄ガンＡの圧力空気出口端Ａ４に螺着される。噴射管Ｂ１の外端は、開放状を呈する。洗浄ガンＡの圧力空気出口端Ａ４の中央のネジ山には、回転管Ｃの一方の端部のコネクタＣ１が螺着固定される。回転管Ｃの外部の適当な位置には、加重管Ｃ２が設けられる。回転管Ｃ内には、汲み上げ管Ｃ３が設けられる。汲み上げ管Ｃ３は、Ｔ字管Ａ２まで延伸して液体タンクＡ３内に到達する。汲み上げ管Ｃ３の側部の回転管Ｃ内で宙に浮いている部分には、噴射口Ｃ３１が設けられる。洗浄ガンＡは、グリップＡ１部分から外部の高圧空気を取り入れ、Ｔ字管Ａ２から圧力空気出口端Ａ４まで送り、最後に回転管Ｃに進入させる。高圧空気は、回転管Ｃ及び汲み上げ管Ｃ３の噴射口Ｃ３１部分においてベンチュリ効果により、汲み上げ管Ｃ３から液体タンクＡ３内の水を汲み上げる。また、汲み上げられた水は、噴射口Ｃ３１において高圧空気と混合された後、汲み上げ管Ｃ３の噴射口Ｃ３１から外部に回転しながら噴出され、洗浄作業が行われる。しかし、実施する際、洗浄ガンＡ内部の回転管Ｃが高圧空気によって駆動され、噴射管Ｂ１の内部において高速回転するため、回転管Ｃ及び加重管Ｃ２と噴射管Ｂ１との間で摩擦が発生して磨損し、長期間使用すると、回転管ＣのコネクタＣ１と圧力空気出口端Ａ４との接続位置が断裂する虞がある。これにより、洗浄ガンＡを使用する際、回転管Ｃが断裂して高圧空気によって噴射管Ｂ１の外部に弾き出され、事故が発生する虞がある。このため、従来の洗浄ガンの使用時における欠点及び問題を解決することが求められていた。
従来の高圧洗浄機、及び洗浄ノズルとしては、例えば特許文献１〜３に記載のものが開示されている。
【０００４】
本考案の考案者は、上述の問題及び欠点に鑑み、関連資料を収集し、長年の経験、幾度にも渡る試作及び改善を経て本考案の回転式洗浄ガンの構造を案出した。
【先行技術文献】
【特許文献】
【０００５】
【特許文献１】特開２００５−３１３００８号公報
【特許文献２】特開平１０−０５７８４４号公報
【特許文献２】特開２０１５−０６７３７６号公報
【考案の概要】
【考案が解決しようとする課題】
【０００６】
本考案の第１の目的は、グリップの一方の側部に入気口が設けられ、グリップに弁座が接続され、弁座のレバーによって入気口から導入される外部の高圧空気が制御され、弁座の一方の側部に給気管が接続され、給気管の他方の側部に対接部の対接ボルトによって噴射管の一方の側部の対接側の対接ネジ孔が装着され、対接部の対接ボルト内の雌ネジ孔部分に回転装置の送気管の一方の側部の接合部の雄ネジロッドが装着され、送気管の他方の側部の連接部が噴射管の収容空間内まで延伸し、連接部部分に軸受けが装着され、軸受けの回転リング外部に連結カバーが嵌設されて、回転体が装着され、回転体が噴射管の一方の側部の管口部分に位置し、グリップから導入された高圧空気が給気管から送気管に送られた後、回転体内部の集気室に進入し、回転体の傾斜噴射孔から外部に噴射される回転式洗浄ガンの構造を提供することにある。
本考案の第２の目的は、回転装置が送気管と、送気管の他方の側部の連接部に装着される軸受けと、連結カバーと、回転体と、を含み、送気管の一方の側部が接合部を有し、接合部部分に雄ネジロッドが設けられてグリップの一方の側部の給気管の対接部の雌ネジ孔部分に螺着され、送気管の他方の側部に連接部が設けられ、連接部が送気管の他方の側部から外部に突出する外径が小さい接合ロッドを有し、接合ロッドの一方の側部が外部に突出する外径の小さな螺着ロッドを有し、接合ロッドに軸受けの軸孔が嵌合され、軸受けの回転リングが連結カバーの係合溝に嵌合され、連結カバーが回転リングと共に回転し、連結カバー外部に外ネジが設けられて回転体の一方の側部の内ネジ孔に螺着され、回転体内部の集気室が送気パイプの送気孔に対向し、回転体に集気室から側壁面の方向に外部に傾斜して貫通する傾斜噴射孔が設けられ、送気管内の送気孔から導入された高圧空気が回転体の集気室内に進入し、回転体及び連結カバーを軸受けの回転リングと共に回転させ、高圧空気が回転体の集気室の一方の側部の傾斜噴射孔から外部に噴射される回転式洗浄ガンの構造を提供することにある。
本考案の第３の目的は、給気管の底部に液体（例えば、水、洗浄剤、石鹸水、ウォーターワックスなど）が貯蔵される貯水タンクが接続され、貯水タンク内の液体が供水管によって汲み取られて連接管部分まで送られ、内部に送水管が設けられた連接管によって供水管から汲み取られた液体が外部に送られ、送水管が連接管部分から、給気管の給気孔、回転装置の送気管の送気孔及び回転体の集気室まで延伸され、回転体の集気室の一方の側部に外端面の方向に貫通孔が設けられて送水管の一方の側部の端部が貫設され、傾斜噴射孔が回転体の貫通孔の側辺に位置し、弁座部分のレバーを操作することによって入気口から高圧空気を導入すると、高圧空気が弁座の送気孔から給気管内に進入し、回転装置の回転体の傾斜噴射孔から外部に噴射され、これと同時に、高圧空気が回転体の貫通孔部分と送水管の一方の側部の端部との間に形成される間隙から外部に噴射され、気体及び霧水を同時に噴射し、これと同時に、貫通孔の側辺に位置する傾斜噴射孔によって霧水に対して高圧空気が噴射され、霧水をさらに細かい霧にする回転式洗浄ガンの構造を提供することにある。
【課題を解決するための手段】
【０００７】
請求項１の考案は、グリップ及び回転装置を備える回転式洗浄ガンの構造であって、グリップの一方の側部には、外部の高圧空気を導入する入気口が設けられ、入気口の上方には、レバーを有する弁座が設けられ、弁座の一方の側部には、給気管が接続され、給気管の内部は、弁座及び入気口まで連通する給気孔を有し、弁座と反対側の給気管の側部には、対接部が凸設され、回転装置は、対接部に装着されて、外部に延伸する送気管と、送気管の側部の連接部に装着される連結カバーと、軸受けと、回転体と、を有し、送気管の内部には、送気管を貫通する送気孔が設けられ、軸受けの外部には、回転体によって駆動されて回転する連結カバーが嵌設され、連結カバーの外部には、傾斜噴射孔を有する回転体が装着され、回転体の内部には、送気管の送気孔に対向する集気室が設けられることを特徴とする回転式洗浄ガンの構造である。
【０００８】
請求項２の考案は、グリップの給気管の一方の側部の対接部には、給気管の一方の側部から外部に突出する対接ボルトが設けられ、対接部の対接ボルト内には、給気孔の一方の側部に位置する雌ネジ孔が設けられ、対接部の対接ボルトの外部には、噴射管の一方の側部の対接側に緊密に当接されるパッキンリングが嵌設され、噴射管の一方の側部の対接側には、対接ボルトに螺着される対接ネジ孔が設けられ、回転装置の送気管の一方の側部の接合部には、雌ネジ孔部分に螺着される雄ネジロッドが設けられ、グリップの対接部には、噴射管が装着され、噴射管の一方の側部には、対接部に装着される対接側が設けられ、噴射管の内部には、対接側から他方の側部に貫通して、回転装置の送気管が進入する収容空間が設けられ、噴射管の対接側と反対側の収容空間には、外部に拡張する管口が設けられ、噴射管は、ラッパ管、直管又は多辺形管の管体であり、給気管の底部には、連接管が設けられ、給気管は、Ｔ字管であり、連接管の底部には、液体が貯蔵される貯水タンクが接続され、貯水タンク内には、液体を連接管部分まで汲み上げる供水管が設けられ、連接管内には、供水管が汲み上げた液体を外部に送る送水管が設けられ、送水管は、連接管部分から給気管の給気孔内に延伸し、送水管の一方の側部には、送気管の送気孔外部に貫通する端部が設けられ、回転装置の回転体の集気室の一方の側部には、送水管の一方の側部の端部が貫設される貫通孔が設けられ、貫通孔は、回転体の傾斜噴射孔の側辺に位置し、回転体の内部には、一方の側部が外部に貫通する集気室が凹設され、集気室の他方の側部の壁面の中央位置には、外部に貫通する貫通孔が設けられ、貫通孔の側辺には、外部に傾斜して貫通する傾斜噴射孔が設けられ、貫通孔の直径は、送水管の一方の側部の端部の外径より大きく、送水管の一方の側部の端部外部の貫通孔部分には、気体が通過する間隙が形成されることを特徴とする請求項１に記載の回転式洗浄ガンの構造である。
【０００９】
請求項３の考案は、回転装置の送気管の他方の側部の連接部は、送気管の他方の側部から外部に突出する接合ロッドと、接合ロッドの外側から外部に突出する螺着ロッドと、を有し、接合ロッドには、軸受けの軸孔が嵌合されて位置決めされ、軸受けの外側には、螺着ロッド部分に螺着されて軸受けが接合ロッドから離脱するのを防止するナットが設けられ、連結カバー内部には、回転リングが係合固定される係合溝が設けられ、連結カバーの係合溝外部には、外ネジが設けられ、回転体の集気室の他方の側部には、外ネジ部分に螺着される内ネジ孔が設けられ、接合ロッドの外径は、送気管の外径より小さく、螺着ロッドの外径は、接合ロッドの外径より小さく、ナットの外径は、軸受けの軸孔の孔径より大きく、回転体の内部には、一方の側部が外部に貫通する集気室が凹設され、集気室の内部に貫通する他方の側部には、孔径が縮小された内ネジ孔が設けられ、集気室の一方の側部の壁面には、外部に傾斜して貫通する傾斜噴射孔が設けられることを特徴とする請求項１に記載の回転式洗浄ガンの構造である。
【考案の効果】
【００１０】
本考案の回転式洗浄ガンは、回転体、軸受け及び連結カバーの組み合わせ構造により、噴射管の収容空間内から部品等が外部に飛び出しにくいため、洗浄ガンを使用する際の安全性を高め、部品が脱落して事故が発生することがなく、危険性を低減することができる。
【図面の簡単な説明】
【００１１】
【図１】本考案の回転式洗浄ガンの構造を示す斜視図である。
【図２】本考案の回転式洗浄ガンの構造を示す分解斜視図である。
【図３】本考案の回転式洗浄ガンの構造の回転装置を示す分解斜視図である。
【図４】本考案の回転式洗浄ガンの構造を示す一部断面図である。
【図５】図４のＡ部分を示す拡大図である。
【図６】本考案の回転式洗浄ガンの構造に貯水タンクを装着した状態を示す一部断面図である。
【図７】図６のＢ部分を示す拡大図である。
【図８】従来の洗浄ガンを示す一部断面図である。
【考案を実施するための形態】
【００１２】
本考案の目的、特徴及び効果を示す実施形態を図面に沿って詳細に説明する。
【００１３】
図１〜図５を参照する。図１は、本考案の回転式洗浄ガンの構造を示す斜視図である。図２は、本考案の回転式洗浄ガンの構造を示す分解斜視図である。図３は、本考案の回転式洗浄ガンの構造の回転装置を示す分解斜視図である。図４は、本考案の回転式洗浄ガンの構造を示す一部断面図である。図５は、図４のＡ部分を示す拡大図である。図１〜図５から分かるように、本考案の回転式洗浄ガンの構造は、グリップ１、噴射管２及び回転装置３を含む。
【００１４】
グリップ１の底部の一方の側部には、入気口１１が設けられる。グリップ１の上方には、レバー１３によって操作及び制御される弁座１２が設けられ、入気口１１から導入される外部の高圧空気が制御される。弁座１２の他方の側部には、給気管１４が接続される。給気管１４内部の給気孔１４０は、弁座１２及び入気口１１に連通する。給気管１４の弁座１２と反対側の一方の側部には、対接部１４１が設けられる。対接部１４１には、給気管１４の一方の側部から外部に突出する対接ボルト１４１１が設けられる。給気孔１４０の一方の側部の対接部１４１の対接ボルト１４１１内部には、雌ネジ孔１４１２が設けられる。
【００１５】
噴射管２の一方の側部には、対接側２１が設けられる。対接側２１内には、対接ネジ孔２１１が設けられる。対接側２１の対接ネジ孔２１１から噴射管２内部方向には、噴射管２を貫通する収容空間２０が設けられる。収容空間２０の一方の側部には、管口２０１が設けられる。
【００１６】
回転装置３は、送気管３１、軸受け３２、連結カバー３３及び回転体３４を含む。送気管３１内部は、送気管３１を貫通する送気孔３１０を有する。送気管３１外部の一方の側部には、接合部３１１が設けられる。接合部３１１には、送気管３１の一方の側部から外部に突出する雄ネジロッド３１１１が設けられる。接合部３１１と反対側の送気管３１の他方の側部には、連接部３１２が設けられる。連接部３１２は、送気管３１の他方の側部から外部に突出する接合ロッド３１２１と、接合ロッド３１２１の他方の側部から外部に突出する螺着ロッド３１２２と、を含む。接合ロッド３１２１に軸受け３２の軸孔３２０を嵌設し、ナット３２１を螺着ロッド３１２２部分に螺着することにより、軸受け３２が接合ロッド３１２１部分から脱落するのを防止することができる。軸受け３２の回転リング３２２は、連結カバー３３の係合溝３３０に嵌合される。連結カバー３３の外部には、外ネジ３３１が設けられ、回転体３４の一方の側部の内ネジ孔３４１が外ネジ３３１部分に螺着される。回転体３４には、内ネジ孔３４１から内側に集気室３４０が凹設され、集気室３４０から一方の側部方向の壁面には、外部に傾斜して貫通する傾斜噴射孔３４２が設けられる。
【００１７】
上述の各部材を組み立てる際、グリップ１底部の入気口１１から外部に設けられた高圧空気源が接続され、グリップ１の弁座１２部分のレバー１３を操作することによって入気口１１から導入される高圧空気が制御される。次に、グリップ１の給気管１４の一方の側部の対接部１４１の対接ボルト１４１１部分にパッキンリング１４１３を嵌設する。また、噴射管２の一方の側部の対接側２１の対接ネジ孔２１１を対接部１４１の対接ボルト１４１１部分に螺着する。また、噴射管２の対接側２１の外側面をパッキンリング１４１３に当接して緊密に結合する。これにより、噴射管２を給気管１４の対接部１４１外側に延設することができる。次に、給気管１４の対接部１４１内部の雌ネジ孔１４１２に回転装置３の送気管３１の一方の側部の接合部３１１の雄ネジロッド３１１１を螺着する。また、送気管３１の他方の側部の連接部３１２を噴射管２の収容空間２０の他方の側部の管口２０１部分まで延伸し、連接部３１２外部に回転体３４を装着する。これにより、送気管３１を収容空間２０の一方の側部の管口２０１部分まで延伸することができる。以上の構造により、グリップ１、噴射管２及び回転装置３から構成される本考案の回転式洗浄ガンの構造が構成される。
【００１８】
上述の回転式洗浄ガンを使用する際、グリップ１底部の入気口１１の供気管１１１を外部の高圧空気源（エアコンプレッサなど）に接続し、グリップ１の弁座１２上のレバー１３を操作するによって入気口１１部分から外部の高圧空気を導入する。高圧空気は、弁座１２の一方の側部の送気口１２１から給気管１４の給気孔１４０内に進入し、対接部１４１部分から回転装置３の送気管３１の送気孔３１０内に送られ、回転体３４の集気室３４０内に進入する。これにより、高圧空気は、集気室３４０の一方の側部の傾斜噴射孔３４２から外部に噴射される。これと同時に、回転体３４及び連結カバー３３が高圧空気によって駆動され、軸受け３２の回転リング３２２部分において回転し、物体（車体、建築物の外壁、窓ガラスなど）の表面に残留又は付着した水、埃などを傷つけることなく吹き飛ばすことができる。
【００１９】
グリップ１の給気管１４の一方の側部には、噴射管２が接続される。噴射管２は、ラッパ管、直管、多辺形管などの管体である。
【００２０】
図２、図３、図６及び図７を参照する。図２は、本考案の回転式洗浄ガンの構造を示す分解斜視図である。図３は、本考案の回転式洗浄ガンの構造の回転装置を示す分解斜視図である。図６は、本考案の回転式洗浄ガンの構造に貯水タンクを装着した状態を示す一部断面図である。図７は、図６のＢ部分を示す拡大図である。図２、図３、図６及び図７から分かるように、本考案の回転式洗浄ガンは、霧水を噴射するように応用することができる。霧水を噴射させる場合、グリップ１の他方の側部の給気管１４の底部に連接管１４２が垂直に設けられ、給気管１４が３方向に分岐したＴ字管となる。連接管１４２底部には、貯水タンク１４２１が接続される。連接管１４２内部には、供水管１４２２が設けられ、貯水タンク１４２１内まで延伸する。連接管１４２の一方の側部には、送水管１４２３が接続される。送水管１４２３は、給気管１４の給気孔１４０及び回転装置３の送気管３１の送気孔３１０まで延伸され、回転体３４の集気室３４０に進入する。送水管１４２３の一方の側部の端部１４２４は、回転体３４の集気室３４０の一方の側部の外端面３４４方向に設けられる貫通孔３４３中に貫設される。貫通孔３４３の孔径は、端部１４２４の外径より大きい。貫通孔３４３と送水管１４２３の一方の側部の端部１４２４との間には、適当な間隙が形成される。これにより、グリップ１底部の入気口１１に高圧空気供給管１１１が接続され、高圧空気供給管１１１に外部のエアコンプレッサが接続され、グリップ１のレバー１３によって弁座１２を制御して入気口１１から導入される空気を送気口１２１から送り出すと、高圧空気は、送気口１２１から給気管１４の給気孔１４０内に進入し、対接部１４１部分から回転装置３の送気管３１の送気孔３１０を通って回転体３４の集気室３４０内に送られ、傾斜噴射孔３４２から外部に噴射される。これと同時に、回転体３４が軸受け３２の回転リング３２２部分において駆動されて回転し、高圧空気が送気管３１の他方の側部の連接部３１２及び回転体３４の貫通孔３４３に進入し、貫通孔３４３部分でベンチュリ効果が発生する。これにより、連接管１４２底部に接続された供水管１４２２から貯水タンク１４２１内部の液体が上方に汲み取られる。液体は、供水管１４２２から連接管１４２上部の送水管１４２３部分に導入され、送水管１４２３の一方の側部の端部１４２４が回転体３４の貫通孔３４３内に貫通していることにより、端部１４２４から外部に噴射される(図７参照)。これと同時に、高圧空気が回転体３４の集気室３４０内に進入して傾斜噴射孔３４２から外部に噴射される以外に、高圧空気は、貫通孔３４３と端部１４２４との間に形成される間隙からも外部に噴射され、端部１４２４から外部に噴射される液体を霧化し、端部１４２４から噴出される霧水をさらに細かくすることができる。即ち、弁座１２部分のレバー１３を操作することによって入気口１１から導入される高圧空気を制御することにより、高圧空気は、弁座１２の送気孔３１０から給気管１４内に進入し、回転装置３の回転体３４の傾斜噴射孔３４２から外部に噴射される以外に、回転体３４の貫通孔３４３部分と送水管１４２３の一方の側部の端部１４２４との間に形成される間���から外部に噴射されることにより、気体及び霧水を噴射することができる。また、貫通孔３４３側辺の傾斜噴射孔３４２によって霧化された水にさらに高圧空気が噴射されることにより、霧水を更に細かくすることができる。
【００２１】
上述の洗浄ガンは、グリップ１の他方の側部の給気管１４の対接部１４１の対接ボルト１４１１部分に回転装置３が装着される。回転装置３の送気管３１の雄ネジロッド３１１１は、対接部１４１の雌ネジ孔１４１２に螺着される。送気管３１の他方の側部の連接部３１２部分の接合ロッド３１２１には、軸受け３２が嵌合され、ナット３２１によって螺着ロッド３１２２部分に螺着される。ナット３２１の外径は、軸受け３２の軸孔３２０の内径より大きいため、ナット３２１によって軸受け３２が接合ロッド３１２１から離脱するのを防止することができる。軸受け３２の回転リング３２２は、連結カバー３３の係合溝３３０に嵌合される。連結カバー３３の外ネジ３３１部分には、回転体３４の一方の側部の内ネジ孔３４１が螺着される。回転装置３の送気管３１が噴射管２の収容空間２０内まで延伸され、送気管３１の他方の側部の回転体３４のみが管口２０１部分で回転することにより、高圧空気は、送気管３１の送気孔３１０内に進入すると、回転体３４の集気室３４０内まで送られ、回転体３４の傾斜噴射孔３４２部分から外部に噴射される。これと同時に、回転体３４が駆動されて連結カバー３３と共に軸受け３２の回転リング３２２によって回転し、送気孔３１０から送られた高圧空気は、傾斜噴射孔３４２から外部に噴射され、回転体３４外部の噴射管２の管口２０１によってガイドされながら外部に噴射される。送気管３１は、噴射管２の収容空間２０内で回転しないため、回転の遠心力によって送気管３１が噴射管２から離脱するのを防止し、噴射管２及び回転装置３の全体構造強度を高めることができる。仮に、回転装置３の回転体３４の貫通孔３４３に送水管１４２３の一方の側部の端部１４２４が貫設される場合、送水管１４２３によって貯水タンク１４２１内の液体が汲み取られ、送水管１４２３の端部１４２４から回転体３４の貫通孔３４３部分に外部に向かって液体が噴射される。また、貫通孔３４３側辺の傾斜噴射孔３４２から高圧空気が噴射されるため、強力な噴射作用が提供され、端部１４２４から噴射される液体を霧化するのが補助され、霧水を更に細かくすることができる。また、回転装置３の送気管３１の他方の側部の連接部３１２の螺着ロッド３１２２には、ナット３２１が螺着接合されるため、軸受け３２、連結カバー３３などは、連接部３１２から脱落又は分離しにくい。また、連結カバー３３の外部の外ネジ３３１に回転体３４の一方の側部の内ネジ孔３４１が螺着されることにより、回転体３４及び連結カバー３３が軸受け３２の外部において回転する際、回転体３４と連結カバー３３との螺着方向と、回転体３４の回転方向と、が反対なので、遠心力の影響を受けて離脱することがない。これにより、実際に使用する際、回転体３４、軸受け３２及び連結カバー３３の組み合わせ構造は、噴射管２の収容空間２０内から外部に飛び出しにくいため、洗浄ガンを使用する際の安全性を高め、部品が脱落して事故が発生することがなく、危険性を低減することができる。
【００２２】
本考案は、回転式洗浄ガンの構造を提供するものであり、グリップの他方の側部の給気管の対接部に噴射管及び回転装置が装着される。回転装置は、噴射管の収容空間内部に位置する。回転装置の送気管の他方の側部の連接部には、軸受け、連結カバー及び回転体が装着される。グリップの弁座部分のレバーを操作することによって入気口から導入される高圧空気を制御することができる。高圧空気は、給気管から回転装置の送気管に送り込まれ、送気管の他方の側部の回転体部分の傾斜噴射孔から外部に回転噴射される。また、給気管の一方の側部に回転装置の送気管が螺着され、送気管の他方の側部に回転体が装着され、送気管は、噴射管の収容空間内において回転しないため、気体の噴射強度を高めることができる。また、給気管底部には、連接管及び貯水タンクを設けることができる。これにより、貯水タンク内の液体を給気管の給気孔から回転装置の送気管の他方の側部の回転体部分に送り、気体及び霧水を同時に噴射させることができ、噴射する霧水を更に細かくすることができる。
【００２３】
以上の説明は、本考案の実施形態を示すものであり、上述の実施形態は、本考案の実用新案登録請求の範囲を限定するものではなく、本考案の主旨を逸脱しない範囲における実質的に同等構成の変更及び修飾は、本考案の実用新案登録請求の範囲に含まれる。
【００２４】
上述の説明から分かるように、本考案の回転式洗浄ガンの構造は、所望の効果及び目的を確実に実現することができ、実用性に優れた考案と言える。
【符号の説明】
【００２５】
１  グリップ
１１  入気口
１１１  供気管
１２  弁座
１２１  送気口
１３  レバー
１４  給気管
１４０  給気孔
１４１  対接部
１４１１  対接ボルト
１４１２  雌ネジ孔
１４１３  パッキンリング
１４２  連接管
１４２１  貯水タンク
１４２２  供水管
１４２３  送水管
１４２４  端部
２  噴射管
２０  収容空間
２０１  管口
２１  対接側
２１１  対接ネジ孔
３  回転装置
３１  送気管
３１０  送気孔
３１１  接合部
３１１１  雄ネジロッド
３１２  連接部
３１２１  接合ロッド
３１２２  螺着ロッド
３２  軸受け
３２０  軸孔
３２１  ナット
３２２  回転リング
３３  連結カバー
３３０  係合溝
３３１  外ネジ
３４  回転体
３４０  集気室
３４１  内ネジ孔
３４２  傾斜噴射孔
３４３  貫通孔
３４４  外端面
Ａ  洗浄ガン
Ａ１  グリップ
Ａ２  Ｔ字管
Ａ３  液体タンク
Ａ４  出口端
Ｂ  噴射管部材
Ｂ１  噴射管
Ｂ１１  螺着台
Ｃ  回転管
Ｃ１  コネクタ
Ｃ２  加重管
Ｃ３  汲み上げ管
Ｃ３１  噴射口
【図１】
0003198554.tif 000003
【図２】
0003198554.tif 000004
【図３】
0003198554.tif 000005
【図４】
0003198554.tif 000006
【図５】
0003198554.tif 000007
【図６】
0003198554.tif 000008
【図７】
0003198554.tif 000009
【図８】
0003198554.tif 000010